(57)【特許請求の範囲】
【請求項１】
水道管からの給水接続部に形成された鍔部と給水ホースの挿入管部に形成された鍔部とが当接するように挿入接続する便器の給水配管の接続装置において、該両鍔部を挟み付け状に嵌合するＵ字状の着脱自在の嵌合弾性部材と、該嵌合弾性部材の一方端にヒンジ部を介して前記嵌合弾性部材と一体に樹脂成形した外れ止め部材とからなる接続機構を設け、この接続機構は、前記外れ止め部材の先端部に形成された係合部を前記該嵌合弾性部材の他方端に形成された係合部に係合させることにより、前記給水配管を接続するようにしたことを特徴とする便器の給水配管の接続装置。
【発明の詳細な説明】
【０００１】
【発明の属する技術分野】
本発明は、洗浄ノズルを有した人体局部洗浄装置に関し、詳しくはこの人体局部洗浄装置における便器の給水配管の接続装置に関する。
【０００２】
【従来の技術】
従来より、図８の斜視図で示すように、便器装置１０１上の人体局部洗浄装置本体１０２が設けられ、この人体局部洗浄装置本体１０２に開閉可能に便座１０３と便蓋１０４が取付けられたものが存在し、便器本体１０１の後部にはロータンク１０５が立設されており、トイレ側壁部から給水管が突設され、この給水管１０６からの給水は分岐栓部１０７を介し給水ホース１０８側とロータンク接続管１１１側に分岐され、給水ホース１０８の先端が人体局部洗浄装置本体１０２から突出されたソケット１０９に接続されて、給水ホース１０８を介し人体局部洗浄装置本体１０２側へ水道水が供給されるように構成されている。
【０００３】
図９に示すように前記分岐栓部１０７において給水ホース１０８は接続部１１２を介在させて、この接続部１１２の先端が分岐栓部１０７に対し袋ナット１１０を締め付けて連結されており、この袋ナット１１０内にはパッキンを入れてシール性を確保している。このように従来においては、袋ナット１１０で分岐栓部１０７に給水ホースを接続する必要があり、狭いトイレ内の設置場所で工具を使ってこの袋ナット１１０を締め付ける作業時に工具を使ってこの袋ナット１１０を締め付ける作業時に工具を回すことができず作業が困難となる場合がある。また、袋ナット１１０内にはパッキンを入れる必要があり、この袋ナット１１０は緩みやすく、給水ホース１０８の捩じれ等により応力を受けて袋ナット１１０が緩むと漏水のおそれがあるという問題点があった。
【０００４】
この問題点を解決する技術として、特開平９−１２５００号公報の発明は分岐栓部とフレキシブル給水ホースとの接続を、嵌合弾性部材を有するワンタッチ着脱式の接続装置で行われる技術が開示されている。この技術は、図６、図７に示すように接続装置２２３は、基部２２３ａから二股状に対向して嵌合弾性部材２２３ｂ、２２３ｂが一体形成されており、この各嵌合弾性部材２２３ｂの下端には外側へ傾斜して広がったガイド片２２３ｃから嵌合弾性部材２２３ｂに亘り上下方向に長孔状に係合溝Ｍが形成されており、前記一対のガイド片２２３ｃ、２２３ｃを前記突管２１９及び接続部２１２の外周に当接させて上方より接続装置２２３を押圧することにより、一対の嵌合弾性部材２２３ｂ、２２３ｂが外側へ広がり、突管２１９及び接続部２１２の外周に嵌め込まれることとなり、この状態で係合溝Ｍ内に前記顎部２１９ａ、２１２ａが嵌合されるものであり、接続装置２２３をワンタッチで顎部２１９ａ、２１２ａに取り付けて突管２１９と接続部２１２の接続を完了することができ、また、クイック接続部２２３は上方へ引き抜くことにより、容易に嵌合弾性部材２２３ｂが外側へ広がって抜き取ることができ、着脱が極めて容易なものとなる技術である。
【０００５】
【発明が解決しようとする課題】
しかしながら、上記特開平９−１２５００号公報に示すように、フレキシブル給水ホースと接続装置を使用しているが、この接続装置は外れ止めとなる構造とはなっていないないため、図６、図７に示すようにクイック接続装置２２３とは別に樹脂性の外れ止め部材２３０を使用しなければならない。この外れ止め部材２３０はクイック接続装置２２３を突管２１９及び接続部２１２の外周に嵌め込まれた後、外れ止め部材２３０の爪部２３０ａ、２３０ａをガイド片２２３ｃ、２２３ｃに嵌合させる。
【０００６】
このため、外れ止め部材２３０の部品が必要となり、この外れ止め部材２３０とクイック接続装置との組付け性も必ずしもよいとはいえず、部品と組付け工数等によるコストアップに繋がる。
【０００７】
また一般に特開平９−１２５００号公報のクイック接続装置２２３を実施した場合、クイック接続部材３２３は、ＳＵＳ等のステンレス部材が使用され、クイック接続装置２２３と外れ止め部材２３０の材質が異なることから温度変化により、組付けられない虞や、組付けられてもガタが生じ、最悪の場合には組付け部材が離脱するというおそれがある。またクイック部材取付け時、外れとめ部材の止め付け自体を忘れるおそれがあり、その結果クイック部材が外れる可能性が生じてくる。
【０００８】
本発明は上記課題を解決したもので、部品点数を少なくし、組付け性も良く、コストダウンに繋がり、接続装置の外れ防止部を樹脂にて一体に成形する構造にすることにより、温度変化により、組付け時のガタが生ぜず、組付け部材が離脱しなく。接続装置を給水配管に組付ける時、外れとめ部材自体を忘れるおそれもなく、忘れたことによる接続装置が外れる可能性はない便器の給水配管接続構造を提供するものである。
【０００９】
【課題を解決するための手段】
本発明の請求項１において講じた技術的手段（以下、第１の技術的手段と称する。）は、水道管からの給水接続部に形成された鍔部と給水ホースの挿入管部に形成された鍔部とが当接するように挿入接続する便器の給水配管の接続装置において、該両鍔部を挟み付け状に嵌合するＵ字状の着脱自在の嵌合弾性部材と、該嵌合弾性部材の一方端にヒンジ部を介して前記嵌合弾性部材と一体に樹脂成形した外れ止め部材とからなる接続機構を設け、この接続機構は、前記外れ止め部材の先端部に形成された係合部を前記該嵌合弾性部材の他方端に形成された係合部に係合させることにより、前記給水配管を接続するようにしたことを特徴とする便器の給水配管の接続装置である。
【００１０】
上記第１の技術的手段による効果は、以下のようである。
【００１１】
即ち、部品点数を少なくし、組付け性も良く、コストダウンに繋がり、接続装置の外れ防止部を樹脂にて一体に成形する構造にすることにより、温度変化により、組付け時のガタが生ぜず、組付け部材が離脱しなく、接続装置を給水配管に組付ける時、外れとめ部材自体を忘れるおそれもなく、外れ止め部材の取付け忘れによる接続装置が外れる可能性はないといった効果を有する。
【００２１】
【発明の実施の形態】
以下、本発明の実施例について、図面に基づいて説明する。図１は本発明の実施の人体局部洗浄装置全体の斜視図。図２は給水配管の接続装置付近の拡大図。図３は図２の分解斜視図。図４（ａ）は接続装置の側面図、（ｂ）は平面図である。
【００２２】
本発明の人体局部洗浄装置１０２は、図１に示すごとく、洗浄手段６と温風乾燥手段（図示略）とを有する本体１０と、本体１０に設けた本体スイッチパネル２とよりなる。上記各手段は本体スイッチパネル２により操作できるように構成してある。上記本体１０は、洗浄ノズル６１、６２等よりなる洗浄手段６、温風乾燥手段を有している。また本体１０は、便座８１、便蓋８２を備え、陶器製便器８３の上方に配置してある。
【００２３】
本体１０の側部上面には、上記本体スイッチパネル２を配置してある。この本体スイッチパネル２は、図１に示すごとく、肛門洗浄、ビデ洗浄、温風乾燥等の作動をストップさせるストップボタン２０、肛門洗浄用操作ボタン２１、ビデ洗浄用操作ボタン２２、温風を吹き出させるドライボタン２３が配設されている。
【００２４】
図２は図1の給水配管の接続装置付近を拡大した図面である。図において、トイレの壁部から突出した給水管３０６に接続されており、この給水管３０６の先端には止水栓３１４が設けられたものとなっている。この給水管３０６の上方に接続されて分岐栓部３０７が設けられている。また、分岐栓部３０７の側面には水抜き用の水抜栓３１６が配設されている。壁部からの給水管３０６の突出部には化粧キャップ３１３が配設されて化粧処理されている。
【００２５】
前記分岐栓部３０７の上面には袋ナット３１７を介しロータンク接続管３１１が接続されており、ロータンク接続管３１１は、図５で示すように突管３１９が突設されており、この突管３１９の先端には外径が拡大した鍔部３１９ａが形成されている。この突管３１９の先端に接続される接続部３１２は本例ではＬ字状の管で形成されており、接続部１２の先端の挿入管部３１２ｂの外周にはＯリング３２０が嵌め込まれている。また挿入管部３１２ｂには外側へ突出して鍔部３１２ａが形成されている。接続部３１２の他端側には挿着部３１２ｃ該形成されている。この挿着部３１２ｃの内周にはＣリング３１２を嵌め込むためのＣリング溝３１２ｄが形成されている。
【００２６】
この挿着部３１２ｃ内にはフレキシブル給水ホース３０８の先端を挿入させて接続することができるものとなっている。本例では、図５に示すように、フレキシブル３０８の先端の差込部３８ａの外周にはＯ−リング３２２が外嵌されており、予め差込部３８ａの外周にＣリング３１２を介装させた状態で、差込部３８ａを前記接続部３１２の挿着部３１２ｃに差し込むと、Ｃリング３１２が挿着部３１２ｃの内周のＣリング溝３１２ｄに嵌め込まれる。この嵌め込み状態でＯリング３２２が挿着部３１２ｃの内周面に弾着してシールされるものであり、即ちＯリング３２２を介した軸シール構造が採用されている。
【００２７】
なおＣリング３１２がＣリング溝３１２ｄに嵌合された状態では、もはや挿着部３１２ｃからフレキシブル給水ホース３０８の差込部３８ａを抜き取ることができずないが、フレキシブル給水ホース３０８は挿着部３１２ｃに対し水平面内で回動が許容されたものとなっている。
【００２８】
一方、図５に示すように、前記接続部３１２の他端側の挿入管部３１２ｂを前記分岐栓部３０７の突管３１９に差し込むと、Ｏリング３２０によりシールされて、Ｏリング３２０による軸シール構造による連結が成され、この連結状態で突管３１９の鍔部３１９ａに挿入管部３１２ｂの鍔部が当接状態となり、鍔部３１９ａと鍔部３１２ａをほぼ同径に形成させておけば、両鍔部３１９ａ、３１２ａは面一状で重ね合わされて当接されることとなる。
【００２９】
この状態で外側より図２、図３に示すような接続装置３２３を、両鍔部３１９ａ、３１２ａに挟み付け状に嵌め込んで、この接続装置３２３よりワンタッチで突管３１９に接続部３１２を接続することができるものである。接続状態においては、前述した如くＯリング３２０による軸シール構造であるため、接続部３１２は分岐栓部３０７に対し垂直面内で回動可能である。
【００３０】
前記接続装置３２３は、鍔部３１９ａ、３１２ｂと嵌合するＵ字状の嵌合弾性部材３２３ｂが形成されている。この嵌合弾性部材３２３ｂの一方端には外側へ傾斜して広がったガイド片３２３ｃ、３２３ｃがそれぞれ一体形成されている。
【００３１】
嵌合弾性部材３２３ｂの他端には、ヒンジ部３４０を介して外れ止め部材３３０が一体に樹脂で成形されている。なお嵌合弾性部材３２３ｂ、ヒンジ部３４０、外れ止め部材３３０にて使用される樹脂材料としては繰り返しのヒンジ特性が高く弾性材料として適切なポリプロピレン樹脂材料が使用される。
【００３２】
嵌合弾性部材３２３bは壁部３２３ｂＲ、３２３ｂＬと凹部３２３ｂＣから形成されている。このＵ字状の凹部３２３ｂＣに前記の鍔部３１９ａ、３１２ｂが嵌合される。
【００３３】
また嵌合弾性部材３１２ｂの壁部３２３ｂＲと３２３ｂＬのＵ字形状の奥部には、嵌合弾性部材３２３ｂのＵ字形状が弾性的に容易に広がるように嵌合弾性部材３１２ｂの幅方向に溝Ｍ１、Ｍ１が凹設されている。この溝Ｍ１、Ｍ１を支点として嵌合弾性部材３２３ｂが広げられる。壁部３２３ｂＲと３２３ｂＬの一方端には二股状の係合部３２３ｃＲと３２３ｃＬが形成されている。
【００３４】
前述したように嵌合弾性部材３２３ｂの他端には外れ止め部材３３０がヒンジ３４０を介して樹脂成形により一体に成形されているが、この外れ止め部材３３０の先端には溝Ｍ２が形成された係合部３３０ａ、３３０ａが突出形成されている。さらに係合部３３０ａ、３３０ａの側壁面にはロック部３３１、３３１が突設されている。このロック部３３１、３３１はロック部がガイドしやすいよう一端は入力方向に対して傾斜面を有し他端はＬ字形状となっている。
【００３５】
この係合部３３０ａ、３３０ａには、外れ止め部材３３０をヒンジ部３４０を介して嵌合弾性部材３２３ｂに回動させて対向させることにより、ロック部３３１、３３１が壁部３２３ｂＲと３２３ｂＬの壁部裏側下部にて係合されてロックされる。接続装置３２３を給水配管に接続してロックされた状態を図２に示す。
【００３６】
なお外れ止め部材３３０裏面にも、図４に示すように、鍔部３１２ａ、３１９ａに嵌合可能なようにＵ字形状の嵌合溝３３０Ｃが刻設されている。このようにガイド片３２３ｃから前記嵌合弾性部材３２３ｂに亘りその長手方向に凹部形状の嵌合溝３２３ｃ、３３０Ｃが形成されているのである。
【００３７】
このような構造からなる接続装置３２３を前記一対のガイド片３２３ｃ、３２３ｃを前記突管３１９及び接続部３１２の外周に当接させて上方より接続装置３２３を押圧することにより、一対の嵌合弾性部材３２３ｂ、３２３ｂが外側へ広がり、突管３１９及び接続部３１２の外周に嵌め込まれることとなる。この状態で嵌合溝Ｍ３２３ｃ、３３０Ｃ内に前記鍔部３１９ａ、３１２ａが嵌合されるものとなる。その結果、このような弾性的な嵌合弾性部材３２３bにより、接続装置３２３をワンタッチで鍔部３１９ａ，３１２ａに取り付けて突管３１９と接続部３１２の接続をすることができる。
【００３８】
さらにヒンジ部３４０を中心として外れ止め部材３３０を回動させて、外れ止め部材３３０のロック部３３１、３３１が、嵌合弾性部材３２３ｂの壁部３２３ｃＬ、３２３ｃＲの裏側下部との間でロックされて接続が完了される。
【００３９】
接続装置３２３を給水配管より外すときは上記手順と逆の手順を行えば簡単に外すことが出来る。
【００４０】
【発明の効果】
本発明は、以下の如く効果を有する。
【００４１】
即ち、水道管からの給水を分岐栓部から給水ホースを通し便器本体上の人体局部洗浄装置へ導入する便器の給水配管の接続装置において、前記分岐栓部と前記給水ホースとを、嵌合弾性部材を有する着脱自在の嵌合弾性部材と外れ止め部材とをヒンジ部を介して一体に樹脂成形した接続装置によって前記給水配管を接続したことを特徴とする便器の給水配管の接続装置であるので、部品点数を少なくし、組付け性も良く、コストダウンに繋がり、接続装置の外れ防止部を樹脂にて一体に成形する構造にすることにより、温度変化により、組付け時のガタが生ぜず、組付け部材が離脱しなく、接続装置を給水配管に組付ける時、外れとめ部材自体を忘れるおそれもなく、外れ止め部材の取付け忘れによる接続装置が外れる可能性はないといった効果を有する。
【図面の簡単な説明】
【図１】本発明の人体局部洗浄装置の全体斜視図。
【図２】本発明の図１の接続装置の拡大斜視図。
【図３】本発明の図１の接続装置の分解斜視図。
【図４】（ａ）は接続装置の側面図。（ｂ）は接続装置の平面図。
【図５】本発明の接続状態の半断面構成図。
【図６】従来の接続装置付近の斜視図。
【図７】従来の接続装置付近の分解斜視図。
【図８】従来の接続装置付近の斜視図。
【図９】従来の便器の袋ナットを用いた接続状態の要部拡大図。
【符号の説明】
３０７…分岐栓部
３０８…給水ホース
１０２…人体局部洗浄装置
３４０ｂ…嵌合弾性部材
３３０…外れ止め部材
３４０…ヒンジ部
３２３…接続装置
【図１】
0003625034.tif 000002
【図２】
0003625034.tif 000003
【図３】
0003625034.tif 000004
【図４】
0003625034.tif 000005
【図５】
0003625034.tif 000006
【図６】
0003625034.tif 000007
【図７】
0003625034.tif 000008
【図８】
0003625034.tif 000009
【図９】
0003625034.tif 000010